(57)【要約】【課題】画像処理の仕上がりを容易に確認することが可能な、使い勝手のよい画像処理装置を提供することを目的とする。【解決手段】デジタルカメラ１００は、液晶ディスプレイ１２３と、画像情報を取得する画像処理部１２２と、画像情報に含まれる被写体に対して画像処理を施す画像処理部１２２と、操作部１５０と、使用者による操作部１５０の操作を受け付けて、画像処理の方法を設定するコントローラ１３０と、被写体に対して設定された画像処理を施す前の第一の画像と、被写体に対して設定された画像処理を施した後の第二の画像とを同一画面上に表示するよう液晶ディスプレイ１２３を制御するコントローラ１３０とを備える。【選択図】図１
2011151693.tif 000002
【特許請求の範囲】
【請求項１】
表示部と、
画像情報を取得する取得部と、
画像情報に含まれる被写体に対して画像処理を施す画像処理部と、
操作部と、
使用者による前記操作部の操作を受け付けて、前記画像処理の方法を設定する設定部と、
被写体に対して前記設定された画像処理を施す前の第一の画像と、被写体に対して前記設定された画像処理を施した後の第二の画像と、を同一画面上に表示するよう前記表示部を制御する表示制御部と、を備えた、
画像処理装置。
【請求項２】
画像情報を生成する撮像部を更に備えた、
請求項１に記載の画像処理装置。
【請求項３】
前記表示制御部は、前記設定された画像処理の内容を、前記第一の画像および前記第二の画像とともに表示するよう前記表示部を制御する、
請求項１または２に記載の画像処理装置。
【請求項４】
前記第一の画像は、前記取得部が取得したオリジナルの画像である、
請求項１から３のいずれかに記載の画像処理装置。
【請求項５】
前記第一の画像は、前記設定された画像処理を施す前に設定された画像処理、が施された画像である、
請求項１から３のいずれかに記載の画像処理装置。
【請求項６】
前記表示制御部は、被写体の特定の部位を拡大して表示するよう前記表示部を制御する、
請求項１から５のいずれかに記載の画像処理装置。
【請求項７】
前記被写体は人物である、請求項１から６のいずれかに記載の画像処理装置。
【請求項８】
前記被写体は人物であり、前記特定の部位は該人物の顔である、
請求項６に記載の画像処理装置。
【発明の詳細な説明】
【技術分野】
【０００１】
本発明は画像処理装置に関し、特に画像を表示可能な画像処理装置に関する。
【背景技術】
【０００２】
人が被写体に含まれる撮影画像の画像情報に基づいて、撮影画像内の肌色部分を色調整する画像処理装置が知られている。例えば、特許文献１は、肌色部分を構成する複数の肌色画素を明度、彩度、色相の３属性で表色し、３属性のうち、２つの属性の一方を縦軸に、他方を横軸にとった平面内における各肌色画素の分布状態を表す肌色分布が部分的に変化するように、肌色部分を色調調整する画像処理装置を開示している。
【先行技術文献】
【特許文献】
【０００３】
【特許文献１】特開2007-158824号公報
【発明の概要】
【発明が解決しようとする課題】
【０００４】
しかしながら、特許文献１に記載の画像処理装置は、きめ細かな肌色調整を可能とすることを目的とするものであり、使用者による肌色調整の仕上がり確認を容易にすることを考慮したものではなかった。従って、使用者が肌色調整などの画像処理の仕上がりを確認するためには、毎回肌色調整前および後の画像を出力する必要があり、不便であった。
【０００５】
本発明は上記課題に鑑みてなされたものであり、画像処理の仕上がりを容易に確認することが可能な、使い勝手のよい画像処理装置を提供することを目的とする。
【課題を解決するための手段】
【０００６】
上記課題を解決するために本発明の画像処理装置は、表示部と、画像情報を取得する取得部と、画像情報に含まれる被写体に対して画像処理を施す画像処理部と、操作部と、使用者による操作部の操作を受け付けて、画像処理の方法を設定する設定部と、被写体に対して設定された画像処理を施す前の第一の画像と、被写体に対して設定された画像処理を施した後の第二の画像と、を同一画面上に表示するよう表示部を制御する表示制御部とを備える。
【０００７】
これにより、画像処理装置は、使用者による操作を受け付けて画像処理の方法を設定し、被写体に対して、設定された画像処理を施す前の第一の画像と、設定された画像処理を施した後の第二の画像とを同一画面上に表示部に表示することができる。
【発明の効果】
【０００８】
本発明によれば、画像処理の仕上がりを容易に確認することが可能な、使い勝手のよい画像処理装置を提供することができる。
【図面の簡単な説明】
【０００９】
【図１】実施の形態１に係るデジタルカメラ１００の電気的構成図
【図２】実施の形態１に係るデジタルカメラ１００の背面構成図
【図３】実施の形態１に係るデジタルカメラ１００の色調レビュー表示のフローチャート
【図４】実施の形態１に係るデジタルカメラ１００のスルー画像表示イメージ図
【図５】実施の形態１に係るデジタルカメラ１００のインフォメーション表示イメージ図
【図６】実施の形態１に係るデジタルカメラ１００の顔拡大レビュー表示イメージ図
【図７】他の実施形態に係るデジタルカメラ１００の等倍レビュー表示イメージ図
【図８】他の実施形態に係るデジタルカメラ１００の色調レビュー表示のフローチャート
【図９】他の実施形態に係るデジタルカメラ１００の顔拡大レビュー表示イメージ図
【発明を実施するための形態】
【００１０】
〔実施の形態１〕
実施の形態１に係るデジタルカメラ１００は、使用者による操作を受け付けて画像処理の方法を設定し、被写体に対して、設定された画像処理を施す前の第一の画像と、設定された画像処理を施した後の第二の画像とを液晶ディスプレイ１２３に同一画面上に表示することができる。以下、デジタルカメラ１００の構成および動作を説明する。
【００１１】
〔１．構成〕
以下図を用いてデジタルカメラ１００の構成を説明する。
【００１２】
〔１−１．デジタルカメラ１００の構成〕
図１は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像情報を生成する。撮像により生成された画像情報は、ＡＦＥ（アナログ・フロント・エンド）１２１や画像処理部１２２において各種処理が施される。生成された画像情報はフラッシュメモリ１４２やメモリカード１４０に記録される。フラッシュメモリ１４２やメモリカード１４０に記録された画像情報は、使用者による操作部１５０の操作を受け付けて液晶ディスプレイ１２３上に表示される。
【００１３】
図２は、デジタルカメラ１００の背面構成図である。デジタルカメラ１００は、上面にレリーズ釦１７０、ズームレバー１７１、電源釦１７２などの操作釦を備える。また、デジタルカメラ１００は、背面に選択釦１７３、決定釦１７４、ディスプレイ釦１７５、モードダイアル１７６などの操作釦や、液晶ディスプレイ１２３を備える。
【００１４】
光学系１１０は、フォーカスレンズ１１１やズームレンズ１１２、絞り１１３、シャッタ１１４等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１５】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。フォーカスレンズ１１１、ズームレンズ１１２、絞り１１３、シャッタ１１４は、それぞれに対応したＤＣモータやステッピングモータ等の駆動手段により、コントローラ１３０から通知された制御信号に従って駆動される。
【００１６】
ＣＣＤイメージセンサ１２０は、光学系１１０を通して形成された被写体像を撮像して画像情報を生成する。ＣＣＤイメージセンサ１２０の受光面には多数のフォトダイオードが２次元的に配列されている。また、各フォトダイオードに対応してＲ、Ｇ、Ｂの原色カラーフィルタが所定の配列構造で配置されている。撮像対象となる被写体からの光は、光学系１１０を通過した後に、ＣＣＤイメージセンサ１２０の受光面に結像される。結像された被写体像は、各フォトダイオードへ入射した光量に応じてＲ、Ｇ、Ｂに仕分けられたそれぞれ色情報に変換される。その結果、被写体像を示す全体の画像情報が生成される。各フォトダイオードは、ＣＣＤイメージセンサ１２０の画素に対応する。しかし、各フォトダイオードから実際に出力される色情報は、Ｒ、Ｇ、Ｂのいずれかの原色情報である。そのため、各画素のそれぞれで発現させるべき色は、後段の画像処理部１２２において、各画素に対応するフォトダイオードおよび、その周辺のフォトダイオードから出力される原色情報（色、光量）に基づき生成される。ここの各画素のそれぞれで発現させるべき色の濃度情報を、以下の説明において各画素色情報と呼ぶことにする。なお、ＣＣＤイメージセンサ１２０は、デジタルカメラ１００が撮影モードにあるとき、一定時間ごとに新しいフレームの画像情報を生成することができる。
【００１７】
ＡＦＥ１２１は、ＣＣＤイメージセンサ１２０が生成した画像情報に対して、相関二重サンプリングによる雑音抑圧、アナログゲインコントローラによるＡＤコンバータ１３３の入力レンジ幅への増幅、ＡＤコンバータによるＡＤ変換を施す。その後、ＡＦＥ１２１は、画像情報を画像処理部１２２に出力する。
【００１８】
画像処理部１２２は、ＡＦＥ１２１から出力された画像情報に対して各種の処理を施す。各種処理としては、スミア補正、ホワイトバランス補正、ガンマ補正、ＹＣ変換処理、電子ズーム処理、圧縮処理、伸張処理等などが挙げられるが、これらに限定されるものではない。
【００１９】
また、画像処理部１２２は、画像情報を構成する各画素色情報に対して肌色調整処理を実行することができる。肌色調整処理は、使用者による操作を受け付けてコントローラ１３０が設定した色調調整パラメータに従い、肌色部分の情報を含む各画素色情報に対して色調調整を行う処理である。色調調整パラメータは、各画素色情報の明度を変更する明度パラメータ、彩度を変更する彩度パラメータ、色相を変更する色相パラメータにより構成される。画像処理部１２２の肌色調整処理についての詳細動作は後述する。
【００２０】
液晶ディスプレイ１２３は、デジタルカメラ１００の背面に備わる。液晶ディスプレイ１２３は、画像処理部１２２にて処理された画像情報に基づく画像を表示する。液晶ディスプレイ１２３が表示する画像には、スルー画像や記録画像がある。スルー画像は、ＣＣＤイメージセンサ１２０により一定時間ごとに生成される新しいフレームの画像が、連続して表示される画像である。通常は、デジタルカメラ１００が撮影モードにあるときに、画像処理部１２２がＣＣＤイメージセンサ１２０の生成した画像情報からスルー画像を生成する。使用者は、液晶ディスプレイ１２３に表示されるスルー画像を参照することにより、被写体の構図を確認しながら撮影できる。記録画像は、デジタルカメラ１００が再生モードにあるときに、メモリカード１４０等に記録された高画素の画像を液晶ディスプレイ１２３に表示するために低画素に縮小した画像である。メモリカード１４０に記録される高画素の画像情報は、使用者によるレリーズ釦１７０の操作を受け付けた後に、ＣＣＤイメージセンサ１２０が生成した画像情報に基づいて画像処理部１２２により生成される。
【００２１】
コントローラ１３０は、デジタルカメラ１００全体の動作を統括制御する。コントローラ１３０は、プログラム等の情報を格納するＲＯＭや、プログラム等の情報を処理するＣＰＵなどにより構成される。ＲＯＭは、オートフォーカス制御（ＡＦ制御）や自動露出制御（ＡＥ制御）に関するプログラムの他、デジタルカメラ１００全体の動作を統括制御するためのプログラムを格納している。ＲＯＭはコントローラ１３０の内部構成である必要はなく、コントローラ１３０の外部に備わったものでもよい。
【００２２】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。また、フラッシュメモリ１４２は、画像情報等を記録するための内部メモリとして機能する記憶手段である。
【００２３】
カードスロット１４１は、メモリカード１４０を着脱可能な接続手段である。カードスロット１４１は、メモリカード１４０を電気的及び機械的に接続可能である。また、カードスロット１４１は、メモリカード１２０を制御する機能を備えてもよい。
【００２４】
メモリカード１４０は、内部にフラッシュメモリ等の記憶手段を備えた外部メモリである。メモリカード１４０は、画像処理部１２２で処理される画像情報などのデータを記録可能である。
【００２５】
操作部１５０は、デジタルカメラ１００の外装に備わっている操作釦や操作レバーの総称であり、使用者による操作を受け付ける。例えば図２に示したレリーズ釦１７０や、ズームレバー１７１、電源釦１７２、選択釦１７３、決定釦１７４、ディスプレイ釦１７５、モードダイアル１７６などがこれにあたる。操作部１５０は使用者による操作を受け付けると、コントローラ１３０に種々の動作指示信号を通知する。
【００２６】
レリーズ釦１７０は、押下釦である。レリーズ釦１７０が使用者により押下されると、コントローラ１３０は、フォーカス状態や露出状態などの撮影条件を決定した後、押下操作のタイミングに撮像された画像情報を記録画像としてメモリカード１４０等に記録する。
【００２７】
ズームレバー１７１は画角調節についての広角端と望遠端を有する中央位置自己復帰式のレバーである。ズームレバー１７１は、使用者により操作されるとコントローラ１３０にズームレンズ１１２を駆動するための動作指示信号を通知する。すわなち、ズームレバー１７１が広角端に操作されると、コントローラ１３０は、被写体を広角で捉えられるようにズームレンズ１１２を駆動する。同様に、ズームレバー１７１が望遠端に操作されると、コントローラ１３０は、被写体を望遠で捉えられるようにズームレンズ１１２を駆動する。
【００２８】
電源釦１７２は、デジタルカメラ１００を構成する各部への電力供給をＯＮ/ＯＦＦするための押下式釦である。電源ＯＦＦ時に電源釦１７２が使用者により押下されると、コントローラ１３０はデジタルカメラ１００を構成する各部に電力を供給し、起動させる。また、電源ＯＮ時に電源釦１７２が使用者により押下されると、コントローラ１３０は各部への電力供給を停止する。
【００２９】
選択釦１７３は、上下左右方向に設けられた押下式釦である。使用者は、選択釦１７３のいずれかの方向を押下することにより、液晶ディスプレイ１２３に表示される各種条件項目を選択することができる。
【００３０】
決定釦１７４は、押下式釦である。デジタルカメラ１００が撮影モードあるいは再生モードにあるときに、決定釦１７４が使用者により押下されると、コントローラ１３０は液晶ディスプレイ１２３にメニュー画面を表示する。メニュー画面は、撮影/再生のための各種条件を設定するための画面である。決定釦１７４が各種条件の設定項目が選択されているときに押下されると、コントローラ１３０は、選択された項目の設定を確定する。
【００３１】
ディスプレイ釦１７５は、押下式釦である。ディスプレイ釦１７５が押下されると、コントローラ１３０は所定の画面を表示するよう液晶ディスプレイ１２３を制御する。
【００３２】
モードダイアル１７６は、ダイアル部材である。使用者は、モードダイアル１７６を操作することにより、デジタルカメラ１００に設定されるモードを切り替えることができる。デジタルカメラ１００に設定されるモードとしては、撮影モード、再生モード、肌色調整モードなどがある。撮影モードは、液晶ディスプレイ１２３にスルー画像を表示させて、使用者のレリーズ釦１７０押下操作のタイミングに撮像された画像をメモリカード１４０等に記録するモードである。再生モードは、すでにメモリカード１４０等に記録してある画像を、液晶ディスプレイ１２３に表示するモードである。肌色調整モードは、被写体の肌色部分の色調調整が可能な撮影モードである。肌色調整モードの詳細は、本実施の形態の動作の項で説明する。
【００３３】
〔１−２．本発明との対応関係〕
液晶ディスプレイ１２３は、本発明の表示部の一例である。画像処理部１２２は、本発明の取得部の一例である。画像処理部１２２は、本発明の画像処理部の一例である。操作部１５０は、本発明の操作部の一例である。コントローラ１３０は、本発明の設定部の一例である。コントローラ１３０は、本発明の表示制御部の一例である。ＣＣＤイメージセンサ１２０は、本発明の撮像部の一例である。デジタルカメラ１００は、本発明の画像処理装置の一例である。
【００３４】
〔２．動作〕
以下図３を用いてデジタルカメラ１００の色調レビュー表示の動作を説明する。図３は、実施の形態１に係るデジタルカメラ１００の色調レビュー表示のフローチャートである。
【００３５】
デジタルカメラ１００が肌色調整モードにあるとき、コントローラ１３０は、液晶ディスプレイ１２３にスルー画像を表示するよう制御する（Ｓ３０１）。このとき、液晶ディスプレイ１２３は、図４に示すように色調調整アイコンをスルー画像表示部Ｄ３１０とともに表示する。表示される色調調整アイコンには、肌色調整アイコンと透明感調整アイコンの２種がある。
【００３６】
肌色調整アイコンには、美白肌Ｄ３０１、ナチュラル肌Ｄ３０２、褐色肌Ｄ３０３が用意されている。美白肌Ｄ３０１は、被写体である人物を色白肌で撮影したいときに設定されるアイコンである。ナチュラル肌Ｄ３０２は、被写体である人物を肌本来の色でそのまま撮影したいときに設定されるアイコンである。褐色肌Ｄ３０３は、被写体である人物を褐色肌に撮影したいときに設定されるアイコンである。コントローラ１３０は、美白肌Ｄ３０１を実現するための色調調整パラメータ、ナチュラル肌Ｄ３０２を実現するための色調調整パラメータ、褐色肌Ｄ３０３を実現する色調調整パラメータのそれぞれをＲＯＭ（不図示）に予め格納している。使用者は、選択釦１７３の左右キーを操作することにより、肌色調整アイコンのいずれかを選択することができる（Ｓ３０２）。選択中の肌色調整アイコンには、選択アイコンＤ３００が重畳表示される。
【００３７】
透明感調整アイコンには、透明感大Ｄ３０５、透明感中Ｄ３０６、透明感小Ｄ３０７が用意されている。使用者は、透明感調整アイコンのいずれかを選択することにより、被写体である人物の肌に肌色調整を施す際の透明感を調整することができる。すなわち、使用者は透明感調整アイコンを選択することによって、被写体である人物について肌色調整を適用する肌色部分の範囲を変更することができる。例えば、使用者が透明感を大に設定したときは、肌色の下地の透け度合が大きいように、肌色調整を行う肌色部分の範囲を疎にする。一方、使用者が透明感を小に設定したときは、肌色の下地の透け度合が小さくなるように、肌色調整を行う肌色部分の範囲を密にする。コントローラ１３０は、透明感調整アイコンそれぞれの透明度合をＲＯＭ（不図示）に予め格納している。使用者は、選択釦１７３の上下キーを操作することにより、透明感調整アイコンのいずれかを選択することができる（Ｓ３０２）。選択中の透明感調整アイコンには、選択枠Ｄ３０４が表示される。
【００３８】
肌色調整アイコンおよび透明感調整アイコンの設定操作については、液晶ディスプレイ１２３の画面下に表示されるガイダンス欄Ｄ３０８に表示される。
【００３９】
なお、肌色調整モードにおけるスルー画像表示において、画面の右上にインフォメーションアイコンＤ３０９が表示される。このとき、使用者によるディスプレイ釦１７５の押下操作を受け付けると、コントローラ１３０は、インフォメーション表示をするよう液晶ディスプレイ１２３を制御する。図５は、インフォメーション表示のイメージ図である。インフォメーション表示画面には、被写体の画像Ｄ３２０、色調チャートＤ３２１、選択済の肌色調整機能名Ｄ３２２、選択済の肌色調整機能の説明Ｄ３２３、ガイダンス欄Ｄ３２４が表示されている。被写体の画像Ｄ３２０は、設定されている色調調整が施された後の被写体の画像である。使用者は、被写体の画像Ｄ３２０を確認することにより、色調調整の仕上がりを知ることができる。色調チャートＤ３２１は、設定されている肌色調整アイコンに対応する色調調整パラメータについて、その明度を縦軸に、その色相を横軸にとって示したものである。使用者は、色調チャートＤ３２１を確認することにより、設定されている肌色調整アイコンによって被写体の肌色部分に適用される色調調整パラメータを知ることができる。選択済の肌色調整機能名Ｄ３２２は、設定されている肌色調整アイコンの名称である。また、選択済の肌色調整機能の説明Ｄ３２３は、設定されている肌色調整アイコンの説明である。使用者は、肌色調整機能名Ｄ３２２や肌色調整機能の説明Ｄ３２３を確認することにより、それぞれの肌色調整アイコンを選択したことによる効果を知ることができる。インフォメーション表示時に、ディスプレイ釦１７５が押下操作されると、コントローラ１３０は再度スルー画像を表示するよう液晶ディスプレイ１２３を制御する。
【００４０】
液晶ディスプレイ１２３がスルー画像を表示している間、コントローラ１３０は、使用者によりレリーズ釦１７０が押下操作されたか否かを監視している（Ｓ３０３）。使用者によるレリーズ釦１７０の押下操作を受け付けると、コントローラ１３０は、設定された肌色調整アイコンおよび透明感調整アイコンに対応する色調調整パラメータをＲＯＭから読み出し、画像処理部１２２に通知する。画像処理部１２２は、通知された色調調整パラメータに従って、肌色部分の情報を含む各画素色情報に対して色調調整を施す。続いて、コントローラ１３０は、設定した色調調整を施す前および、設定した色調調整を施した後について、被写体である人物の顔部分を拡大したレビュー画像を表示する（Ｓ３０４）。図６は、色調調整前後の顔拡大レビュー表示のイメージ図である。図６に示すように、コントローラ１３０は、設定した色調調整を施す前後について、被写体である人物の顔部分を拡大した画像を、液晶ディスプレイ１２３の同一画面上に表示する。すなわち、画面左側に色調調整前の被写体の画像Ｄ３１８を表示し、画面右側に色調調整後の被写体の画像Ｄ３１９を表示する。これにより、使用者は、設定した色調調整による仕上がりを容易に確認することができる。また、画面上部には、選択済の肌色調整アイコンＤ３１６および選択済の透明感調整アイコンＤ３１７が表示される。すなわち、色調調整後の被写体の画像Ｄ３１９に適用されている色調調整アイコンが表示される。これにより、使用者は、設定した色調調整アイコンを確認することができる。
【００４１】
コントローラ１３０は、図６に示すような顔拡大レビュー表示を液晶ディスプレイ１２３に所定時間表示させた後、色調調整処理を施す前および、色調調整処理を施した後のそれぞれの画像情報をメモリカード１４０などに記録する（Ｓ３０５）。
【００４２】
〔１−３．まとめ〕
以上のように、実施の形態１に係るデジタルカメラ１００は、液晶ディスプレイ１２３と、画像情報を取得する画像処理部１２２と、画像情報に含まれる被写体に対して画像処理を施す画像処理部１２２と、操作部１５０と、使用者による操作部１５０の操作を受け付けて、画像処理の方法を設定するコントローラ１３０と、被写体に対して設定された画像処理を施す前の第一の画像と、被写体に対して設定された画像処理を施した後の第二の画像とを同一画面上に表示するよう液晶ディスプレイ１２３を制御するコントローラ１３０とを備える。即ち、デジタルカメラ１００は、使用者による操作を受け付けて画像処理の方法を設定し、被写体に対して、設定された画像処理を施す前の第一の画像と、設定された画像処理を施した後の第二の画像とを液晶ディスプレイ１２３に同一画面上に表示することができる。これにより、被写体に対して、設定された画像処理を施す前の第一の画像と、設定された画像処理を施した後の第二の画像とを使用者が容易に確認することが可能となり、便利なデジタルカメラ１００を提供することができる。
【００４３】
また、実施の形態１に係るデジタルカメラ１００は、画像情報を生成するＣＣＤイメージセンサ１２０を更に備える。即ち、デジタルカメラ１００は、ＣＣＤイメージセンサ１２０が生成した画像情報に含まれる被写体に対して、設定された画像処理を施す前の第一の画像と、設定された画像処理を施した後の第二の画像とを液晶ディスプレイ１２３に同一画面上に表示することができる。これにより、ＣＣＤイメージセンサ１２０が生成している画像情報に含まれる被写体に対して、設定された画像処理を施す前の第一の画像と、設定された画像処理を施した後の第二の画像とを、撮影しながら容易に確認することが可能となり、便利なデジタルカメラ１００を提供することができる。
【００４４】
また、実施の形態１に係るデジタルカメラ１００において、コントローラ１３０は、設定された色調アイコンを、第一の画像および第二の画像とともに表示するよう液晶ディスプレイ１２３を制御する。これにより、使用者は、第一の画像および第二の画像を見比べながら、設定されている色調アイコンを確認できるため、容易に被写体に施すべき所望の色調調整を選択することが可能となる。
【００４５】
また、実施の形態１に係るデジタルカメラ１００において、第一の画像は、画像処理部１２２が取得したオリジナルの画像である。これにより、使用者は、オリジナルの画像と、色調調整後の画像とを見比べることが可能となり、オリジナル画像に色調調整を施したことによる仕上がりを容易に確認することができる。
【００４６】
また、実施の形態１に係るデジタルカメラ１００において、コントローラ１３０は、被写体の特定の部位を拡大して表示するよう液晶ディスプレイ１２３を制御する。これにより、拡大表示された特定の部位に対して色調調整の仕上がりを比較することが可能となるため、使用者にとって仕上がりの確認が容易なデジタルカメラ１００を提供することができる。
【００４７】
また、実施の形態１に係るデジタルカメラ１００において、被写体は人物であり、特定の部位は該人物の顔である。これにより、使用者は、拡大表示された人物の顔に対して色調調整の仕上がりを比較することが可能となるため、被写体の人物に対して所望の色調の仕上がりになっているか否かを容易に確認することができる。
【００４８】
〔２．他の実施の形態〕
本発明は、上記実施の形態１に限定されず、種々の実施形態が考えられる。以下、本発明の他の実施の形態についてまとめて記載する。
【００４９】
上記実施の形態１において、液晶ディスプレイ１２３を、表示部の一例として説明したが、本発明はこれに限定されない。すなわち、有機ＥＬディスプレイや、プラズマディスプレイなど、他の表示デバイスであっても本発明に適用可能である。
【００５０】
上記実施の形態１において、コントローラ１３０は、画像処理部１２２と別体の構成として説明したが、本発明はこれに限定されない。すなわち、コントローラ１３０は、画像処理部１２２などと共に1つの半導体チップで構成してもよい。また、コントローラ１３０や画像処理部１２２は、ハードワイヤードな電子回路で構成してもよいし、プログラムを用いたマイクロコンピュータなどで構成してもよい。
【００５１】
上記実施の形態１において、ＣＣＤイメージセンサ１２０を、撮像部の一例として説明したが、本発明はこれに限定されない。すなわち、ＣＭＯＳイメージセンサや、ＮＭＯＳイメージセンサなど他の撮像素子であっても本発明に適用可能である。また上記実施の形態において、色分離のためのフィルタ構成を、ＲＧＢの原色フィルタとしたが、ＣＭＹ等の補色フィルタでも良い。
【００５２】
上記実施の形態１に係るデジタルカメラ１００において、液晶ディスプレイ１２３がスルー画像を表示しているときの色調レビュー表示について説明したが、本発明はこれに限定されない。すなわち、液晶ディスプレイ１２３が記録画像を表示しているときに、使用者によるレリーズ釦１７０等の操作部１５０の操作を受け付けて、画像処理部１２２は記録画像に対して色調調整し、コントローラ１３０は液晶ディスプレイ１２３に色調レビュー表示をするように制御してもよい。
【００５３】
上記実施の形態１に係るデジタルカメラ１００において、人物の顔を拡大した画像の色調レビュー表示をする場合を説明したが、本発明はこれに限定されない。すなわち、人物の顔を拡大せずに、図７に示す等倍レビュー表示のイメージ図のように、色調調整を施す前後について被写体の等倍画像の色調レビュー表示をしてもよい。なお、上記実施の形態に係るデジタルカメラ１００にように、被写体である人物の顔を拡大した方が、使用者にとって色調調整の確認が容易であることは言うまでもない。
【００５４】
上記実施の形態１に係るデジタルカメラ１００において、使用者によるレリーズ釦１７０の押下操作を受け付けてから、色調調整前後の顔拡大レビューを表示するようにしたが、本発明はこれに限定されない。すなわち、使用者によるレリーズ釦１７０の押下操作を受け付ける前に、色調調整前後の顔拡大レビューを表示するようにしてもよい。図８は、他の実施形態に係るデジタルカメラ１００の色調レビュー表示のフローチャートである。図８におけるステップＳ４０１、ステップＳ４０２は、図３におけるステップＳ３０１、ステップＳ３０２と同様であるため説明を省略する。他の実施形態に係るデジタルカメラ１００は、使用者により肌色調整アイコンおよび透明感調整アイコンが選択されると、色調調整前後の顔拡大レビューを表示する。使用者は、色調調整前後の顔拡大レビュー表示を確認してから、この画像を記録するか否かを選択することができる。すなわち、画像を記録したい場合に、使用者はレリーズ釦１７０を押下操作する。レリーズ釦が押下操作されると（Ｓ４０４）、コントローラ１３０は、画像をメモリカード１４０等に記録する（Ｓ４０５）。
【００５５】
上記実施の形態１に係るデジタルカメラ１００において、レビュー表示する一方の画像が画像処理部１２２の取得したオリジナルの画像である場合を説明したが本発明はこれに限定されない。すなわち、デジタルカメラ１００において、レビュー表示する一方の画像は、前回設定した色調調整パラメータに従って色調調整された画像であってもよい。図９は、他の実施の形態における顔拡大レビュー表示のイメージ図を示す。この場合、顔拡大レビュー表示には、前回選択した色調アイコンＤ３４０、今回選択した色調アイコンＤ３４１、前回選択した色調による被写体の画像Ｄ３４２、今回選択した色調による被写体の画像Ｄ３４３が表示される。これにより、使用者は、前回色調調整した画像と、今回色調調整した画像とを見比べることが可能となり、設定した色調調整条件の相違による画像の仕上がりの相違を容易に確認することができる。
【００５６】
上記実施の形態１において、肌色調整や透明感調整を画像処理の一例として説明したが、本発明はこれに限定されない。すなわち、明暗補正や、ホワイトバランス補正などの画像処理に対しても本発明は適用可能である。
【００５７】
以上のように、本発明によれば、画像処理の仕上がりを容易に確認することが可能な、使い勝手のよい画像処理装置を提供することができる。
【産業上の利用可能性】
【００５８】
本発明はデジタルカメラ１００への実施に限定されない。すなわち、ムービーカメラや携帯電話など、画像表示の可能な画像処理装置に本発明は適用可能である。
【符号の説明】
【００５９】
１００    デジタルカメラ
１１１    フォーカスレンズ
１１２    ズームレンズ
１１３    絞り
１１４    シャッタ
１２０    ＣＣＤイメージセンサ
１２１    ＡＦＥ（アナログ・フロント・エンド）
１２２    画像処理部
１２３    液晶ディスプレイ
１２４    バッファメモリ
１３０    コントローラ
１４０    メモリカード
１４１    カードスロット
１４２    フラッシュメモリ
１５０    操作部
１７０    レリーズ釦
１７１    ズームレバー
１７２    電源釦
１７３    選択釦
１７４    決定釦
１７５    ディスプレイ釦
１７６    モードダイアル
【図１】
2011151693.tif 000003
【図２】
2011151693.tif 000004
【図３】
2011151693.tif 000005
【図４】
2011151693.tif 000006
【図５】
2011151693.tif 000007
【図６】
2011151693.tif 000008
【図７】
2011151693.tif 000009
【図８】
2011151693.tif 000010
【図９】
2011151693.tif 000011